(57)【特許請求の範囲】
【請求項１】
離間して対向する第１部分および第２部分を有し、これら第１部分および第２部分が第３部分によってそれぞれの隣接する端部部分にて接合されており、これら第１部分、第２部分および第３部分の各々が対向する内側表面および外側表面を有するＣ字形誘電体基板と、前記誘電体基板の第１部分、第２部分および第３部分の外側表面に配置された連続する放射エレメントとを備え、
前記誘電体基板の第１部分に配置された前記連続する放射エレメント部分が前記誘電体基板の第１部分に配置された給電点に電気的に接続されており、前記誘電体基板の第１部分に配置された連続する放射エレメント部分が前記誘電体基板の第２部分に配置された連続する放射エレメント部分に電気的に結合し、よってアンテナが少なくとも２つの離間した別個の周波数バンドで共振するようになっており、
前記誘電体基板の第１部分と第２部分との間に配置された細長いスペーサーを更に含み、該細長いスペーサーが対向する第１表面および第２表面を含み、前記細長いスペーサーの第１表面が前記誘電体基板の第１部分の内側表面に面と面が接触する関係にあり、前記細長いスペーサーの第２表面が前記誘電体基板の第２部分の内側表面に面と面が接触する関係にあることを特徴とするマルチ周波数バンドアンテナ。
【請求項２】
前記連続する放射エレメントの少なくとも一部が蛇行したパターンとなっている、請求項１記載のマルチ周波数バンドアンテナ。
【請求項３】
前記誘電体基板の第１部分および第２部分に配置された連続する放射エレメントの部分が、それぞれの異なる電気的長さを有する、請求項１記載のマルチ周波数バンドアンテナ。
【請求項４】
前記細長いスペーサーが連続気泡微孔性ポリマーを含む、請求項１記載のマルチ周波数バンドアンテナ。
【請求項５】
前記連続する放射エレメントが導電性材料の連続トレースを含む、請求項１記載のマルチ周波数バンドアンテナ。
【請求項６】
離間して対向する第１部分および第２部分を有し、これら第１および第２部分が第３部分によってそれぞれの隣接する端部部分にて接合されており、これら第１部分、第２部分および第３部分の各々が対向する内側表面および外側表面を有するＣ字形誘電体基板と、前記第１部分と第２部分との間に配置された細長い誘電体スペーサーと、前記第１放射エレメントの一部が前記誘電体基板の第１部分に配置された給電点に電気的に接続されている、前記誘電体基板の第１部分に配置された第１放射エレメントと、前記第１放射エレメントと第２放射エレメントとが前記細長い誘電体スペーサーを貫通するように形成された導電性ビアによって電気的に接続されており、前記第１放射エレメントと第２放射エレメントとが互いに電気的に結合され、アンテナが少なくとも２つの離間した別個の周波数バンドで共振するようになっている第２放射エレメントとを備えた、マルチ周波数バンドアンテナ。
【請求項７】
前記細長い誘電体スペーサーが対向する第１および第２表面を含み、前記細長い誘電体スペーサーの第１表面が前記誘電体基板の第１部分の内側表面に面と面が接触する関係となっており、前記細長い誘電体スペーサーの第２表面が前記誘電体基板の第２部分の内側表面に面と面が接触する関係となっている、請求項６記載のマルチ周波数バンドアンテナ。
【請求項８】
前記連続する放射エレメントの少なくとも一部が蛇行したパターンとなっている、請求項６記載のマルチ周波数バンドアンテナ。
【請求項９】
前記第１および第２放射エレメントの各々が導電性材料製のトレースを含む、請求項６記載のマルチ周波数バンドアンテナ。
【請求項１０】
前記第１および第２放射エレメントが異なる電気的な長さを有する、請求項６記載のマルチ周波数バンドアンテナ。
【請求項１１】
前記細長い誘電体スペーサーが連続気泡微孔性ポリマーを含む、請求項６記載のマルチ周波数バンドアンテナ。
【請求項１２】
無線通信信号を送受信するトランシーバを収納するようになっているハウジングと、トランシーバに電気的に接続されたマルチ周波数バンドアンテナとを備え、
該マルチ周波数バンドアンテナが、離間して対向する第１部分および第２部分を備えたＣ字形誘電体基板を含み、これら第１部分及び第２部分が第３部分によってそれぞれの隣接する端部部分にて接合されており、該誘電体基板の第１部分、第２部分および第３部分の各々が対向する内側表面および外側表面を有し、前記誘電体基板の第１部分が第１の長さを有し、前記誘電体基板の第２部分が前記第１長さよりも短い第２長さを有し、更に前記誘電体基板の第１部分、第２部分および第３部分の外側表面に配置された連続する放射エレメントとを備え、
前記誘電体基板の第１部分に配置された連続する放射エレメントの一部が前記誘電体基板の第１部分に配置された給電点に電気的に接続されており、前記誘電体基板の第１部分に配置された前記連続する放射エレメントの一部が前記誘電体基板の第２部分に配置された連続する放射エレメントの一部に電気的に結合し、それによってそれぞれの異なる第１および第２周波数バンド内でアンテナが共振するようになっており、
前記誘電体基板の第１部分と第２部分との間に配置された細長いスペーサーを更に含み、該細長いスペーサーが対向する第１表面および第２表面を含み、前記細長いスペーサーの第１表面が前記誘電体基板の第１部分の内側表面に面と面が接触する関係にあり、前記細長いスペーサーの第２表面が前記誘電体基板の第２部分の内側表面に面と面が接触する関係にあることを特徴とする無線通信機。
【請求項１３】
前記連続する放射エレメントの少なくとも一部が蛇行したパターンとなっている、請求項１２記載の無線通信機。
【請求項１４】
前記誘電体基板の第１および第２部分に配置された連続する放射エレメントの一部が、それぞれの異なる電気的長さを有する、請求項１２記載の無線通信機。
【請求項１５】
前記細長いスペーサーが連続気泡微孔性ポリマーを含む、請求項１２記載の無線通信機。
【請求項１６】
前記連続放射エレメントが導電性材料製の連続トレースを含む、請求項１２記載の無線通信機。
【請求項１７】
無線通信信号を送受信するトランシーバを収納するようになっているハウジングと、該トランシーバに電気的に接続されたマルチ周波数バンドアンテナとを備え、該アンテナが、 離間して対向する第１部分および第２部分を含み、これら第１部分および第２部分が第３部分によってそれぞれの隣接する端部部分にて接合されており、誘電体基板の第１部分、第２部分および第３部分の各々が対向する内側表面および外側表面を有するＣ字形誘電体基板と、前記絶縁基板の第１部分に配置された、一部が前記誘電体基板の第１部分に配置された給電点に電気的に接続された第１放射エレメントと、前記誘電体基板の第２部分に配置された第２放射エレメントとを備え、前記第１放射エレメントと第２放射エレメントとが誘電体スペーサーを貫通するように形成された導電性ビアによって電気的に接続されており、前記第１放射エレメントと第２放射エレメントとが互いに電気的に結合されるようになっており、よって少なくとも２つの離間した別個の第１周波数バンド内でアンテナが共振するようになっている、無線通信機。
【請求項１８】
前記誘電体スペーサーは、前記誘電体基板の第１部分と第２部分との間に配置され、前記誘電体スペーサーが対向する第１および第２表面を含み、前記誘電体スペーサーの第１表面が前記誘電体基板の第１部分の内側表面に面と面が接触する関係となっており、前記誘電体スペーサーの第２表面が前記誘電体基板の第２部分の内側表面に面と面が接触する関係となっている、請求項１７記載の無線通信機。
【請求項１９】
前記連続する放射エレメントの少なくとも一部が蛇行したパターンとなっている、請求項１７記載の無線通信機。
【請求項２０】
前記第１および第２放射エレメントの各々が導電性材料製のトレースを含む、請求項１７記載の無線通信機。
【請求項２１】
前記第１および第２放射エレメントが異なる電気的な長さを有する、請求項１７記載の無線通信機。
【請求項２２】
前記誘電体スペーサーが連続気泡微孔性ポリマーを含む、請求項１７記載の無線通信機。
【発明の詳細な説明】
【０００１】
（発明の分野）
本発明は一般的にはアンテナに関し、より詳細には、無線通信デバイスと共に使用されるアンテナに関する。
【０００２】
（発明の背景）
無線電話とは１つ以上の他の通信ターミナルに無線通信でリンクする通信ターミナルを一般に意味する。無線電話はセルラー電話、地上移動（例えば警察および消防用）電話および衛星通信システムを含む、種々の異なる用途で使用できる。
【０００３】
無線電話は、無線通信信号を送信および／または受信するためのアンテナを一般に含む。簡単であること、ワイドバンドの応答性があること、広い放射パターンが得られること、およびコストが低いことに起因し、種々の無線電話用途において歴史的にはモノポールアンテナおよびダイポールアンテナが恐らく最も多く使用されてきた。
【０００４】
しかしながら、無線電話およびその他の無線通信デバイスは小型化を続けている。現代の多くの無線電話は長さが１１〜１２ｃｍよりも短くなっている。この結果、無線電話で使用されるアンテナも小型化されている。また２つ以上の通信システムを利用するために、無線電話が大きく離れた周波数バンドで作動できることが望ましくなりつつある。例えばＧＳＭ（ディジタル携帯電話のためのグローバルシステム）は、例えば８８０ＭＨｚ〜９６０ＭＨｚの間の低い周波数バンドで一般に作動するデジタル移動電話システムであり、ＤＣＳ（デジタル通信システム）は１７１０ＭＨｚ〜１８８０ＭＨｚの間の高い周波数バンドで一般に作動するデジタル移動電話システムである。
【０００５】
小型の無線電話アンテナは、一般に狭い周波数バンド内でしか作動しない。この結果、従来の無線電話用アンテナが大きく離れた周波数バンドで作動することが困難となることがある。更に、無線電話のアンテナがより小さくなるにつれ、これらアンテナが作動できる範囲内の周波数バンドは一般により狭くなる。
【０００６】
マルチ周波数バンドで作動するハンドヘルドの無線電話では、ヘリカルアンテナの使用が増加している。ヘリカルアンテナは螺旋パターンに巻かれた導電性部材を一般に含む。１本の軸線を中心にヘリカルアンテナの放射エレメントが巻かれているので、ヘリカルアンテナの軸方向の長さを匹敵するモノポールアンテナの長さよりもかなり短くすることができる。従って、モノポールアンテナの長さが使用できないほど長い場合にはヘリカルアンテナが使用されることが多い。
【０００７】
図１はデュアル周波数バンドで作動できるように構成された従来のヘリカルアンテナ５を示す。図１に示されるように、アンテナ５はアンテナ給電構造体６と、放射エレメント７と、寄生エレメント８とを一般に含む。放射エレメント７および寄生エレメント８はエンドキャップ１０によってプラスチックチューブ、すなわちレドーム９内に収納されている。不幸なことに、ヘリカルアンテナは特に放射エレメント７と寄生エレメント８の位置決めに関して製造が多少複雑となり得る。
【０００８】
マルチ周波数バンドで作動するハンドヘルド無線電話ではブランチ（分岐）アンテナも使用されている。このブランチアンテナは基板に配置された一対の導電性トレース（又は形跡）を一般に含み、これらトレースは放射エレメントとして働き、単一給電点から分岐している。図２はデュアル周波数バンドで作動するように構成された従来のブランチアンテナ１５を示す。図２に示されるように、アンテナ１５は平らな基板１６を一般に含み、この基板１６の上には一対の蛇行した放射エレメント１７ａ、１７ｂが配置されている。これら蛇行した放射エレメント１７ａ、１７ｂはアンテナ１５を無線電話内のＲＦ回路に電気的に接続する給電点１８から分岐している。蛇行した放射エレメント１７ａ、１７ｂの各々はそれぞれの周波数バンド内で共振するようになっている。
【０００９】
不幸なことに、ブランチアンテナは無線電話を作動させるには狭すぎる周波数バンド内でしか電気信号を送受信できない。更に、ブランチアンテナのサイズを縮小するには一般に各放射エレメントの蛇行パターンを圧縮する必要がある。更に不幸なことに、放射エレメントの蛇行パターンが更に圧縮されるにつれ、放射エレメントが作動できる周波数バンドはより狭くなる。
【００１０】
従って、マルチ周波数バンドの無線電話に対する上記要望およびかかる無線電話のための従来のアンテナの問題を検討すると、大きく離れたマルチ周波数バンド内で作動できる小型の無線電話用アンテナが求められている。
【００１１】
（発明の概要）
従って、本発明の目的は、大きく離れた多数の周波数バンドで作動できる、無線電話のような無線通信機のための小型のアンテナを提供することにある。
【００１２】
更に本発明の目的は、無線電話の小型化を容易にすることでもある。
【００１３】
本発明の上記およびそれ以外の目的は、アンテナの内側または外側表面に連続した放射エレメントが配置された、折りたたまれたＣ字形アンテナによって達成される。このアンテナは離間して対向する第１部分および第２部分を有する誘電体基板を含み、これら第１部分と第２部分とはそれぞれの隣接する端部部分にて第３部分によって接合されている。誘電体基板の第１部分、第２部分および第３部分の内側または外側表面には連続した放射エレメントとして働く導電性材料製の連続したトレースが配置されている。
【００１４】
誘電体基板の第１部分と第２部分との間には細長いスペーサーが配置されていることが好ましい。細長いスペーサーは細長い誘電体スペーサーであることが好ましく、この誘電体スペーサーが連続気泡の微孔性ポリマー（open-celled microcellular polymer）から形成され、対向する第１表面と第２表面とを含む。この誘電体スペーサーの第１表面は誘電体基板の第１部分の内側表面と面と面が接続する関係にあり、誘電体スペーサーの第２表面は誘電体基板の第２部分の内側表面と面と面が接触する関係にある。
【００１５】
しかしながら、誘電体基板の第１部分と第２部分との間ではスペーサーを使用しなくてもよいことが理解できよう。誘電体基板の第１部分と第２部分との間には空気ギャップが存在すれば十分である。
【００１６】
誘電体基板の第１部分に配置された連続する放射エレメントの一部は蛇行したパターンとなっており、この部分は給電点に電気的に接続されている。誘電体基板の第１部分に配置された連続した放射エレメント部分は、アンテナが異なる第１周波数バンドおよび第２周波数バンドの内部で共振するよう、誘電体基板の第２部分に配置された連続した放射エレメント部分と電気的に結合するようになっている。
【００１７】
本発明の別の実施例によれば、Ｃ字形をした誘電体基板は基板のそれぞれの第１部分および第２部分に配置された第１放射エレメントおよび第２放射エレメント（例えば導電性の銅製トレース）を含む。これら第１放射エレメントと第２放射エレメントとはアンテナが、離れた別個の周波数バンド（すなわち低い周波数バンドと高い周波数バンド）内で共振するように互いに電気的に結合するようになっている。
【００１８】
本発明に係わるアンテナは多数の大きく離れた周波数バンドを利用する種々の通信システム内で作動するのに特に適している。更に、本発明に係わるアンテナはサイズが小さいことにより極めて小型の通信デバイス内で使用できる。更に、１枚の基板しか使用していないので、本発明に係わるアンテナは従来のデュアルバンドアンテナよりも製造をより簡単にすることができる。
【００１９】
（発明の詳細な説明）
以下、添付図面を参照し、本発明についてより詳細に説明する。添付図面には本発明の好ましい実施例が示されている。しかしながら、本発明は異なる多くの形態で具現化でき、本明細書に記載した実施例のみに限定されると見なしてはならない。これら実施例は明細書の開示を完全にし、当業者が発明の範囲を完全に理解できるように記載したものである。添付図面において、説明を明瞭とするために層および領域の厚さは誇張してある。図面において、同様な番号は同様な要素を示す。層、領域または基板のような要素が別の要素の上にあると記載されている場合、他の要素の上に、かかる要素を直接載せたり、また介在する要素を設けることも可能であることが理解できよう。これと対照的に、要素が別の要素に「直接」設けられていると記載されている場合、介在する要素は設けられていない。更に、本明細書に図示し、記載した各実施例は、相補的な導電タイプの実施例も含むものである。
【００２０】
次に、図３を参照すると、ここには本発明に係わるアンテナを組み込むことができる無線電話２０が示されている。図示されている無線電話２０のハウジング２２は、頂部部分２４と内部にキャビティを形成するように頂部部分に接続された底部部分２６とを含む。頂部ハウジング部分２４と底部ハウジング部分２６とは、複数のキー３０を含むキーパッド２８と、ディスプレイ３２と、無線電話２０が無線電話通信信号を送受信できるようにする電子部品（図示せず）とを収納している。本発明に係わるアンテナは図示されているレドーム３４内に設けることができる。
【００２１】
図４には無線電話が無線通信信号を送受信できるようにする電子部品の従来の配置が略図で示されており、この従来の配置については無線電話通信業者であれば理解できよう。無線通信信号を送受信するためのアンテナ４０は無線周波数トランシーバ４２に電気的に接続されており、このトランシーバ４２は更にコントローラ４４、例えばマイクロプロセッサに接続されている。コントローラ４４はスピーカー４６に電気的に接続されており、このスピーカー４６はコントローラ４４からのリモート信号を無線電話のユーザーに伝えるようになっている。コントローラ４４はマイクロフォン４８にも電気的に接続されており、このマイクロフォンはユーザーからの音声信号を受信し、コントローラ４４およびトランシーバ４２を介し、この音声信号をリモートデバイスに送信するようになっている。コントローラ４４は無線電話の作動を容易にするキーパッド２８およびディスプレイ３２にも電気的に接続されている。
【００２２】
本発明に係わるアンテナは無線周波数信号を送信しかしない無線通信デバイスでも、または受信しかしない無線通信デバイスでも使用できる。信号を受信しかしないかかるデバイスとしては、アンテナを利用する従来のＡＭ／ＦＭラジオまたは任意の受信機を挙げることができ、信号送信しかしないデバイスとしてはリモートデータ入力デバイスを挙げることができる。
【００２３】
通信デバイスの当業者に知られているように、アンテナとは電気信号を送信および／または受信するデバイスである。送信アンテナは一般に電磁界を放射するよう、開口部または反射表面を誘導もしくは放射する給電アセンブリを一般に含む。受信アンテナは入射電磁界を収集給電点に合焦し、入射電磁界に比例した電子信号を発生する開口部または表面を一般に含む。アンテナから放射されるか、またはアンテナによって受信される電力の大きさは、その開口面積に応じて決まり、この大きさは利得によって表示される。
【００２４】
アンテナの放射パターンは極座標を使ってプロットされることが多い。電圧定在波比（ＶＳＷＲ）は、アンテナの給電点と通信デバイス、例えば無線電話の給電ラインまたは送信ラインとのインピーダンスマッチングに関連している。最小の損失で無線周波数（ＲＦ）エネルギーを放射するか、または最小の損失で受信したＲＦエネルギーを無線電話の受信機へ伝えるために、無線電話のアンテナのインピーダンスは従来は送信ラインまたは給電点のインピーダンスにマッチングされていた。
【００２５】
従来の無線電話は、内部に配置されたプリント回路基板に設けられた信号処理回路に作動的に関連するトランシーバに電気的に接続されたアンテナを一般に使用している。アンテナとトランシーバとの間の電力伝達を最大にするために、トランシーバのインピーダンスとアンテナのインピーダンスを実質的にマッチングするように、トランシーバとアンテナとを相互に接続することが好ましい。すなわち、給電点で５０オーム（Ω）の（または所望する）インピーダンス値が得られるように、望ましくないアンテナインピーダンス成分をフィルタで除去するよう、すなわち補償するように電気的にチューニングされている。
【００２６】
次に、図５を参照すると、ここには本発明の実施例に係わるデュアル周波数バンドのアンテナ５０が示されている。ここに図示されているアンテナ５０はＣ字形の誘電体基板５２を含み、この基板５２には連続する放射エレメント（例えば導電性の銅製トレース）５３が配置されている。このＣ字形誘電体基板５２は離間して対向する第１部分５４と第２部分５５とを含み、これら部分は第３部分５６によってそれぞれ隣接する端部部分５４ａ、５５ａにて接合されている。第１部分５４、第２部分５５および第３部分５６の各々は対向する内側表面５２ａと外側表面５２ｂとを有する。図示した実施例では誘電体基板の第１部分５４は第１の長さＬ1を有し、第２部分５５は第１部分５４の長さＬ1よりも短い第２の長さＬ2を有する。
【００２７】
図示するように、誘電体基板の第１部分５４と第２部分５５との間には細長いスペーサ５７が配置されており、このスペーサは誘電体材料から形成することが好ましい。この細長いスペーサ５７は対向する第１表面５７ａと第２表面５７ｂとを有する。スペーサの第１表面５７ａは誘電体基板の第１部分５４の内側表面５２ａに面と面が接触する関係となっており、スペーサの第２表面５７ｂは誘電体基板の第２部分５５の内側表面５２ａに面と面が接触する関係となっている。
【００２８】
スペーサ５７は連続気泡微孔性ポリマー、例えば米国、郵便番号06281-1815コネティカット州ウッドストック、ウッドストックロード２４５番地のロジャーズコーポレーションから市販されているポーロン（PORON（登録商標））ウレタンから形成することが好ましい。ポーロン（登録商標）ウレタンの平均孔径は約１００ミクロンであり、ほぼ均一である。「連続気泡（open-cell）」なる用語は、吸気性材料を形成するよう、殆どの孔（セル）の間に小さい開口部があることを意味する。圧縮されると、これら開口部は閉じられ、シールを形成する。しかしながら、誘電体スペーサは種々の誘電体材料から形成できるので、ポーロン（登録商標）に限定されているわけではないと理解できよう。
【００２９】
誘電体基板の第１部分５４と第２部分５５との間ではスペーサを使用しなくてもよいと理解できよう。誘電体基板の第１部分５４と第２部分５５との間には空気ギャップがあれば十分である。
【００３０】
図示するように、誘電体基板の第１部分５４、第２部分５５および第３部分５６の外側表面５２ｂには連続する放射エレメント５３が配置されている。この連続放射エレメント５３は誘電体基板５２の第１部分５４に配置された第１部分５３ａと、誘電体基板５２の第２部分５５に配置された第１部分５３ｂと、誘電体基板５２の第３部分５６に配置された第３部分５３ｃとを含む。連続放射エレメント５３の第１部分５３ａは給電点５８に電気的に接続されており、この給電点５８はアンテナ５０を無線通信機、例えば無線電話内のＲＦ回路に電気的に接続している。
【００３１】
図示した実施例では放射エレメントの第１部分５３ａは、放射エレメントの第２部分５３ｂと結合し、例えば８２４ＭＨｚ〜９６０ＭＨｚ（すなわち低い周波数のバンド）および１７１０ＭＨｚ〜１９９０ＭＨｚ（すなわち高い周波数のバンド）の少なくとも２つの離れた別々の周波数バンドを形成するような電気的長さを有する蛇行したパターンとなっている。当業者であれば判るように、「結合（カプリング）」なる用語は電力または信号情報が一方から他方に伝達できるよう、２つ以上の回路またはシステムが関連していることを意味する。
【００３２】
図６Ａおよび６Ｂはそれぞれ明瞭とするためにスペーサーを除いた、図５のアンテナの正面および背面斜視図である。図５および６Ａ、６Ｂの図示された実施例では、放射エレメント５３は蛇行したパターンとなっている。しかしながら、放射エレメント５３の第１部分５３ａ、第２部分５３ｂ、第３部分５３ｃの各々は種々の構造にしてもよいことが理解できよう。例えば図７に示されるように、放射エレメント５３の第２部分５３ｂは蛇行していない構造でもよい。
【００３３】
誘電体基板５２に使用するのに特に好ましい材料は、通信デバイスの当業者には周知であるＦＲ４、すなわちポリイミドである。しかしながら、誘電体基板５２には種々の誘電体材料を使用できる。誘電体基板５２は図示された実施例では約２〜約４までの誘電率（dielectric constant）を有することが好ましい。しかしながら、本発明の要旨から逸脱することなく、誘電率の異なる誘電体基板を使用できると理解すべきである。
【００３４】
図示した放射エレメントの第１部分５３ａおよび第２部分５３ｂの寸法は基板の外側表面５２ｂのスペースの制限に応じて変えてもよい。放射エレメントを使用するのに好ましい導電材料は銅である。放射エレメントの第１部分５３ａおよび第２部分５３ｂの厚みは一般に約０．０５〜１．０ｍｍの間である。
【００３５】
放射エレメントの第１部分５３ａおよび第２部分５３ｂの電気的な長さは当業者に知られているように同調パラメータとなっている。アンテナ５０のバンド幅は当業者に知られているように、放射エレメントの第１部分５３ａおよび第２部分５３ｂの蛇行パターンの形状よび構造を変えることによって調節できる。
【００３６】
次に図８を参照すると、ここには本発明の別の実施例に係わるデュアル周波数バンドアンテナ７０が示されている。ここに示されているアンテナ７０はＣ字形をした誘電体基板７２を含み、この基板７２はこの基板７２のそれぞれの第１部分７２ａおよび第２部分７２ｂに配置された第１放射エレメント７３ａおよび第２放射エレメント７３ｂ（例えば導電性の銅製トレース）を有する。第１放射エレメント７３ａと、第２放射エレメント７３ｂとはアンテナ７０は少なくとも２つの離間した別個の周波数バンド内で共振するように互いに電気的に結合するようになっている。
【００３７】
第１放射エレメント７３ａは誘電体基板の第１部分７２ａに配置された給電点５８に電気的に接続されており、第１放射エレメント７３ａと第２放射エレメント７３ｂとはスペーサ５７を貫通するように形成された導電性ビア７４によって互いに電気的に接続されている。図示されている実施例とは電気リード線７５ａ、７５ｂによりそれぞれ第１放射エレメント７３ａと導電性ビア７４との間の電気的接触および第２放射エレメント７３ｂと導電性ビア７４との間の電気的接触が容易となっている。
【００３８】
ＧＳＭの低い周波数のバンドは約８８０ＭＨｚと９６０ＭＨｚとの間にあり、このバンドは８０ＭＨｚのバンド幅に対応する。ＡＭＰＳ（高度移動電話サービス）の低い周波数のバンドは約８２４ＭＨｚ〜８９４ＭＨｚの間にあり、このバンドは７０ＭＨｚのバンド幅に対応する。ＰＣＳ（パーソナル通信システム）の高周波バンドは約１８５０ＭＨｚ〜１９９０ＭＨｚの間にあり、このバンドは１４０ＭＨｚのバンド幅に対応する。ＤＣＳの高周波バンドは約１７１０ＭＨｚ〜１８８０ＭＨｚの間にあり、これは１７０ＭＨｚのバンド幅に対応する。従って、無線電話アンテナが低い周波数のバンド（例えばＧＳＭまたはＡＭＰＳのためのバンド）で正しく作動するには、バンド幅を約７０ＭＨｚ〜８０ＭＨｚの間にしなければならない。同様に、無線電話アンテナが高い周波数のバンド（例えばＰＣＳまたはＤＣＳ用のバンド）で正しく作動できるようにするには、バンド幅を約１４０ＭＨｚ〜１７０ＭＨｚの間にしなければならない。
【００３９】
次の表１は放射エレメントの第２部分５３ｂの種々の長さＬ２に対し、図５および６ａ、６ｂに示されるアンテナによって得られるバンド幅を示す。
【００４０】
【表１】
0004523211.tif 000002
【００４１】
表１に示めされるように、放射エレメントの第２部分５３ｂの最適長さＬ2は２０ミリ（ｍｍ）である。長さＬ2が２０ｍｍの時に、図５および６Ａ、６Ｂのアンテナの低いバンドの中心周波数は１００４ＭＨｚであり、バンド幅は１６３ＭＨｚであり、高いバンドの中心周波数は１９０６ＭＨｚであり、バンド幅は３１１ＭＨｚである。長さＬ2が２０ｍｍの場合、図５および６ａ、６ｂのアンテナはＧＳＭ、ＡＭＰＳ、ＰＣＳおよびＤＣＳの広く離れた周波数バンド内で作動するのに適当なバンド幅を有する。
【００４２】
本発明は図５、６Ａ、６Ｂ、７および８に示された実施例のみに限定されているわけではないと理解すべきである。限定することなく、本発明の特徴を含む他の種々の構造も利用できる。
【００４３】
これまでの記載は本発明を説明するものであり、発明を限定するものであると考えてはならない。以上で、本発明のいくつかの実施例について説明したが、当業者であれば、本発明の新規な教示内容および利点から実質的に逸脱することなく、実施例において多くの変形が可能であることが容易に理解できよう。従って、かかる変形例のいずれも、特許請求の範囲に記載した本発明の範囲内に含まれるものである。従って、これまでの記載は本発明を説明するためのものであり、本発明がここに開示した特定の実施例のみに限定されると見なしてはならず、更に、特許請求の範囲内には本明細書に開示した実施例の変形例だけでなく、その他の実施例も含まれると理解すべきである。本発明は特許請求の範囲に記載されており、特許請求の範囲の均等物の発明に含まれるものである。
【図面の簡単な説明】
【図１】  デュアル周波数バンドで無線作動するように構成された従来のヘリカルアンテナの側断面図である。
【図２】  デュアル周波数バンドで無線作動するように構成された従来のブランチアンテナの平面図である。
【図３】  本発明に係わるアンテナを内部に内蔵できる無線電話の一例の斜視図である。
【図４】  無線電話が通信信号を送受信できるようにするための電子部品の従来の配置の略図である。
【図５】  デュアル周波数バンドで無線電話を作動させるように構成された、本発明の一実施例に係わるアンテナの側面図である。
【図６Ａ】  明瞭にするために誘電体スペーサーを省略した状態の、図５のアンテナの正面斜視図である。
【図６Ｂ】  明瞭にするために誘電体スペーサーを省略した状態の、図５のアンテナの背面斜視図である。
【図７】  折りたたまれた基板の背面に沿った放射エレメントが別のパターンとなっている、図５のアンテナの背面斜視図である。
【図８】  第１放射エレメントと第２放射エレメントとが誘電体スペーサーを貫通する導電性ビアによって電気的に接続されている、デュアル周波数バンドで無線電話を作動させるように構成された、本発明の別の実施例に係わるアンテナの側面図である。
【図１】
0004523211.tif 000003
【図２】
0004523211.tif 000004
【図３】
0004523211.tif 000005
【図４】
0004523211.tif 000006
【図５】
0004523211.tif 000007
【図６Ａ】
0004523211.tif 000008
【図６Ｂ】
0004523211.tif 000009
【図７】
0004523211.tif 000010
【図８】
0004523211.tif 000011